【事件の表示】
　平成１１年特許願第３４７６５３号「印刷装置、その制御方法、および、情報記録媒体」拒絶査定不服審判事件〔平成１３年　６月２２日出願公開、特開２００１−１６６９０４〕について、次のとおり審決する。
【結　論】
　本件審判の請求は、成り立たない。
【理　由】
１．手続の経緯
　
　本願は、平成１１年１２月７日の出願であって、平成２１年１月２１日付け拒絶理由通知に対して平成２１年３月２５日付けで手続補正がなされたが、平成２１年１１月２日付けで拒絶査定がなされ、これに対し、平成２２年２月８日に拒絶査定に対する審判請求がなされるとともに、同日付けで手続補正がなされたものである。
　
２．平成２２年２月８日付けの手続補正についての補正却下の決定
　
［補正却下の決定の結論］
　平成２２年２月８日付けの手続補正（以下、「本件補正」という）を却下する。
　
［理由］
（１）補正の内容
　平成２２年２月８日付けの手続補正により、特許請求の範囲は次のとおり補正された。
　
［補正前］（平成２１年３月２５日の手続補正）
「【請求項１】　文字又は図形を印刷する印刷部と、音を発生する音響器とを備えた印刷装置において、
　前記印刷装置が所定の異常状態にあるか否かを検出する検出部と、
　前記印刷装置が前記異常状態にある場合に音による通知を行うか否かの設定を記憶する記憶部と、
　前記検出部により前記所定の異常状態にあることが検出され、かつ前記記憶部に音による通知を行う旨の設定が記憶されている場合に、前記音響器を駆動し音を発生させる制御部とを備え、
　前記記憶部は、前記異常状態の種類に対応付けて当該異常状態を通知する優先順位をさらに記憶し、
　前記制御部は、前記検出部により複数の異常状態が検出された場合に、前記記憶部に記憶された前記優先順位に基づいて最も優先順位が高い異常状態を音により通知することを特徴とする印刷装置。
　【請求項２】　前記記憶部は、前記異常状態の種類に対応付けて発生させるべき音の情報をさらに記憶し、
　前記制御部は、前記検出部により検出された前記異常状態に対応する前記記憶部に記憶された前記音の情報に基づいて前記音響器を駆動することを特徴とする請求項１に記載の印刷装置。
　【請求項３】　前記記憶部は、前記異常状態の種類に対応付けて音を発生させる時間もしくは回数をさらに記憶し、
　前記制御部は、前記検出部により検出された前記異常状態に対応する前記音記憶部に記憶された前記音を発生させる時間もしくは回数に基づいて前記音響器を駆動することを特徴とする請求項１または２に記載の印刷装置。
　【請求項４】　ホスト装置に接続され、当該ホスト装置からの指令データを受信する受信部を備え、
　前記制御部は、前記ホスト装置からの第１の指令データに基づいて前記音響器の駆動を停止することを特徴とする請求項１乃至３に記載の印刷装置。
　【請求項５】　ホスト装置に接続され、当該ホスト装置からの指令データを受信する受信部を備え、
　前記記憶部に記憶された前記音による通知を行うか否かの設定、前記音の情報、前記音を発生させる時間もしくは回数、前記優先順位の少なくとも一は、前記ホスト装置からの第２の指令データに基づいて変更可能であることを特徴とする請求項１乃至４に記載の印刷装置。
　【請求項６】　文字又は図形を印刷する印刷部と、音を発生する音響器とを備えた印刷装置を制御する方法において、
　前記印刷装置が異常状態にあるか否かを検出する検出ステップと、
　前記印刷装置が前記異常状態にある場合に音による通知を行うか否かの設定を記憶する記憶ステップと、
　前記検出ステップにより前記所定の異常状態にあることが検出され、かつ前記記憶ステップにおいて音による通知を行う旨の設定が記憶されている場合に、前記音響器を駆動し音を発生させる制御ステップとを備え、
　前記記憶ステップは、前記異常状態の種類に対応付けて当該異常状態を通知する優先順位をさらに記憶し、
　前記制御ステップは、前記検出ステップにより複数の異常状態が検出された場合に、前記記憶ステップにおいて記憶された前記優先順位に基づいて最も優先順位が高い異常状態を音により通知することを特徴とする印刷装置の制御方法。
　【請求項７】　前記記憶ステップは、前記異常状態の種類に対応付けて発生させるべき音の情報をさらに記憶し、
　前記制御ステップは、前記検出ステップにより検出された前記異常状態に対応する前記記憶ステップにおいて記憶された前記音の情報に基づいて前記音響器を駆動することを特徴とする請求項６に記載の印刷装置の制御方法。
　【請求項８】　前記記憶ステップは、前記異常状態の種類に対応付けて音を発生させる時間もしくは回数をさらに記憶し、
　前記制御ステップは、前記検出ステップにより検出された前記異常状態に対応する前記記憶ステップにおいて記憶された前記音を発生させる時間もしくは回数に基づいて前記音響機器を駆動することを特徴とする請求項６または７に記載の印刷装置の制御方法。
　【請求項９】　ホスト装置に接続され、当該ホスト装置からの指令データを受信する受信ステップを備え、
　前記制御ステップは、前記ホスト装置からの第１の指令データに基づいて前記音響器の駆動を停止することを特徴とする請求項６乃至８に記載の印刷装置の制御方法。
　【請求項１０】　ホスト装置に接続され、当該ホスト装置からの指令データを受信する受信ステップを備え、
　前記記憶ステップにおいて記憶された前記音による通知を行うか否かの設定、前記音の情報、前記音を発生させる時間もしくは回数、前記優先順位の少なくとも一は、前記ホスト装置からの第２の指令データに基づいて変更可能であることを特徴とする請求項６乃至９に記載の印刷装置の制御方法。
　【請求項１１】　文字又は図形を印刷する印刷部と、音を発生する音響器とを備えた印刷装置を制御する方法を実現するプログラムを記録したコンピュータ読取可能な情報記録媒体において、
　前記印刷装置が異常状態にあるか否かを検出する検出ステップと、
　前記印刷装置が前記異常状態にある場合に音による通知を行うか否かの設定を記憶する記憶ステップと、
　前記検出ステップにより前記所定の異常状態にあることが検出され、かつ前記記憶ステップにおいて音による通知を行う旨の設定が記憶されている場合に、前記音響器を駆動し音を発生させる制御ステップとを備え、
　前記記憶ステップは、前記異常状態の種類に対応付けて当該異常状態を通知する優先順位をさらに記憶し、
　前記制御ステップは、前記検出ステップにより複数の異常状態が検出された場合に、前記記憶ステップにおいて記憶された前記優先順位に基づいて最も優先順位が高い異常状態を音により通知することを特徴とする情報記録媒体。
　【請求項１２】　前記情報記録媒体は、コンパクトディスク、フロッピーディスク、ハードディスク、光磁気ディスク、ディジタルビデオディスク、磁気テープ、または、半導体メモリであることを特徴とする請求項１１に記載の情報記録媒体。」
　
［補正後］（平成２２年２月８日付け手続補正）
「【請求項１】　文字又は図形を印刷する印刷部と、音を発生する音響器とを備えた印刷装置において、
　ホスト装置に接続され、当該ホスト装置からの指令データを受信する受信部と、
　前記印刷装置が所定の異常状態にあるか否かを検出する検出部と、
　前記印刷装置が前記異常状態にある場合に音による通知を行うか否かの設定を記憶する記憶部と、
　前記検出部により前記所定の異常状態にあることが検出され、かつ前記記憶部に音による通知を行う旨の設定が記憶されている場合に、前記音響器を駆動し音を発生させる制御部とを備え、
　前記記憶部は、前記異常状態の種類に対応付けて、発生させるべき音の情報、音を発生させる時間もしくは回数、及び当該異常状態を通知する優先順位をさらに記憶し、
　前記制御部は、前記検出部により複数の異常状態が検出された場合に、前記記憶部に記憶された前記優先順位に基づいて最も優先順位が高い異常状態を音により通知するよう前記音響器を駆動し、
　前記制御部は更に、前記受信部で受信した第１の指令データに基づいて前記音響器の駆動を停止し、
　前記記憶部に記憶された前記音による通知を行うか否かの設定、前記音の情報、前記音を発生させる時間もしくは回数、前記優先順位の少なくとも一は、前記受信部で受信した第２の指令データに基づいて変更可能である、
　ことを特徴とする印刷装置。
　【請求項２】　前記制御部は、前記検出部により検出された前記異常状態に対応する前記記憶部に記憶された前記音の情報に基づいて前記音響器を駆動することを特徴とする請求項１に記載の印刷装置。
　【請求項３】　前記制御部は、前記検出部により検出された前記異常状態に対応する前記音記憶部に記憶された前記音を発生させる時間もしくは回数に基づいて前記音響器を駆動することを特徴とする請求項１または２に記載の印刷装置。
　【請求項４】　文字又は図形を印刷する印刷部と、音を発生する音響器とを備えた印刷装置を制御する方法において、
　ホスト装置に接続され、当該ホスト装置からの指令データを受信する受信ステップと、
　前記印刷装置が異常状態にあるか否かを検出する検出ステップと、
　前記印刷装置が前記異常状態にある場合に音による通知を行うか否かの設定を記憶する記憶ステップと、
　前記検出ステップにより前記所定の異常状態にあることが検出され、かつ前記記憶ステップにおいて音による通知を行う旨の設定が記憶されている場合に、前記音響器を駆動し音を発生させる制御ステップとを備え、
　前記記憶ステップは、前記異常状態の種類に対応付けて、発生させるべき音の情報、音を発生させる時間もしくは回数、及び当該異常状態を通知する優先順位をさらに記憶し、
　前記制御ステップは、前記検出ステップにより複数の異常状態が検出された場合に、前記記憶ステップにおいて記憶された前記優先順位に基づいて最も優先順位が高い異常状態を音により通知するよう前記音響器を駆動し、
　前記制御ステップは更に、前記受信ステップで受信したホスト装置からの第１の指令データに基づいて前記音響器の駆動を停止し、
　前記記憶ステップにおいて記憶された前記音による通知を行うか否かの設定、前記音の情報、前記音を発生させる時間もしくは回数、前記優先順位の少なくとも一は、前記受信ステップで受信した第２の指令データに基づいて変更可能である、
　ことを特徴とする印刷装置の制御方法。
　【請求項５】　前記制御ステップは、前記検出ステップにより検出された前記異常状態に対応する前記記憶ステップにおいて記憶された前記音の情報に基づいて前記音響器を駆動することを特徴とする請求項４に記載の印刷装置の制御方法。
　【請求項６】　前記制御ステップは、前記検出ステップにより検出された前記異常状態に対応する前記記憶ステップにおいて記憶された前記音を発生させる時間もしくは回数に基づいて前記音響機器を駆動することを特徴とする請求項４または５に記載の印刷装置
の制御方法。
　【請求項７】　請求項２に記載の印刷装置の制御方法における各ステップを実行させるためのプログラムを記録したコンピュータに読取可能な情報記録媒体。
　【請求項８】　前記情報記録媒体は、コンパクトディスク、フロッピーディスク、ハードディスク、光磁気ディスク、ディジタルビデオディスク、磁気テープ、または、半導体メモリであることを特徴とする請求項７に記載の情報記録媒体。」
　
（２）補正についての検討
　上記補正は、補正前の請求項１に請求項４、５に記載した事項と請求項２、３に記載した一部の事項を追加し、補正前の請求項６に請求項９、１０に記載した事項と請求項７、８に記載した一部の事項を追加し、補正前の請求項４、５、９、１０を削除するものであって、平成１８年法律第５５号改正附則第３条第１項によりなお従前の例とされる同法による改正前の特許法（以下、「平成１８年改正前特許法」という）第１７条の第４項第１号及び第２号の請求項の削除及び特許請求の範囲の減縮を目的とするものである。
　そこで本件補正後の請求項１に記載された発明（以下、「本願補正発明」という）が特許出願の際独立して特許を受けることができるものであるか（平成１８年改正前特許法第１７条の２第５項において準用する同法第１２６条第５項の規定に適合するか）について以下に検討する。
　
（３）刊行物
　原審拒絶理由で引用された、本願の出願日前である平成７年７月１１日に頒布された「特開平７−１７２０３２号公報」（以下、「刊行物１」という）には、次の事項が記載されている。
　なお、下線は当審において付した。
　
（ア）「【０００１】
【産業上の利用分野】
本発明はプリンタ、画像形成装置、複合機もしくはその他コンピュータ周辺装置等の制御装置に関する。
　
（イ）「【０００４】
【発明が解決しようとする問題点】しかしながら、プリンタが正常な場合であっても、ホストからデータを送信して印刷させることができない状態は考えられ、また、プリンタの動作異常だけでなく、通常のプリンタ状態やその変化を音で知らせることができないという問題点があった。
【０００５】
【発明の目的】本発明は、このような従来技術の欠点を解消し、小さく見づらいプリンタの表示パネルに頼ることなく、プリンタの状態やその変化を音で知らせるようにすることにより、ホストに向かう人がプリンタの状態確認を行うために席を立ったり、ホストのディスプレイから目を逸らすことなくプリンタの印刷状態を知ることができ、印刷作業を効率化したプリンタの制御装置を提供することを目的にしている。また、個別のユーザにとって煩わしい音を自由に制限したり変更することができるようにすることにより、ユーザの自由度を増し、余計な音で聞き間違えることによる判断ミスを防ぐことも可能としたプリンタの制御装置を提供するものである。」
　
（ウ）「【００１１】
【実施例】以下、図面に示した実施例に基づいて、本発明に係るプリンタ制御装置を詳細に説明する。図１は本発明に係るプリンタ制御装置のコントローラのブロック図である。コントローラ１はＣＰＵ３、ＮＶＲＡＭ５、プログラムＲＯＭ７、フォントＲＯＭ９、ＲＡＭ１１及びインターフェース１３乃至１９からなり、
前記各インターフェース１３乃至１９には印字を行うエンジン２１、パネル装置２３、ホスト装置２５及び音源装置２７がそれぞれ接続している。
【００１２】前記ＣＰＵ３は前記プログラムＲＯＭ７に格納されたプログラム及びパネル装置２３から供給されるモード指示、
ホスト装置から供給されるコマンドによってコントローラ全体を制御するＣＰＵ
【００１３】図２は本発明に係るプリンタ制御装置の機能構成ブロック図であって、ｎ個の状態判定手段の３０〜３２の内、例えば
状態判定手段３０において判定条件を満たす状態ｉが発生した場合、音通知機能有効性判定手段３３によって、その状態を音として通知するか否かの判定が行われる。この判定条件は音通知機能選択手段３４を通じて手動操作パネルや上位装置からのコマンドで選択指定されたものであり、例えば図３に示したようなブザー通知の有効性を予め音通知機能選択手段３３に設定しておくことにより行われる。
【００１４】
判定の結果、有効性判定が真の場合、音信号選択手段３５により状態ｉに応じた音を信号伝達手段３７を介して音信号変換手段３８に出力するが、状態ｉに応じた音は音信号設定手段３６に予め任意に設定することが可能である。
【００１５】図４は本発明に係るプリンタ制御装置のタイムチャートの一実施例を示した図であって、各状態判定と通知音発生に関するフローチャート図５乃至図１０に示したフローチャート図と併せて以下詳細に説明する。オンライン中のブザー通知に関しては、図５に示すようにオンライン・オフライン切り替え部により切り替えが行われるが、切り替え処理部におけるオフライン処理、オンライン処理は各々従来と同様の処理でありその説明を省略する。
【００１６】
オフライン処理の場合、音通知機能有効性判定手段によってオフライン音発生が有効か否かを評価し、有効であれば音信号選択手段によりブザーパターンを選択し、音信号伝達手段によってオフラインブザーパターンの選択及び連続指定により所定の音のブザーが鳴る。その後、パネル操作等によりオンラインに切り替わると、オンライン処理とオフラインブザー停止が実施される。
　
　してみると、刊行物１には、以下の発明（以下、「刊行物１発明」という）が記載されている。
　
（エ）「印字を行うエンジン、パネル装置、ホスト装置、及び音源装置が接続しているプリンタ制御装置において、
　ホスト装置から供給されるコマンドによってコントローラ全体を制御するＣＰＵと、
　判定条件を満たす状態ｉが発生した場合を判定する状態判定手段と、
　その状態を音として通知する否かの判定を行う音通知機能有効性判定手段と、
　音通知の有効性を予め設定しておく音通知機能選択手段と、
　状態ｉに応じた音のパターン及び連続指定を予め任意に設定することが可能である音信号設定手段とを備え、
　判定の結果、有効性判定が真の場合、状態ｉに応じた音を音信号変換手段に出力して音を発生させ、
　その後、状態ｉが切り替わると音通知停止が実施されるプリンタ制御装置」
　
　また、原審拒絶理由で引用された、本願の出願日前である平成５年１１月１６日に頒布された「特開平５−３０１４２５号公報」（以下、「刊行物２」という）には、次の事項が記載されている。
　なお、下線は当審において付した。
　
（オ）「【０００４】
【発明が解決しようとする課題】しかしながら、上述のようなエラーの優先順位は各画像形成装置で固定的に決定されているため、その各画像形成装置においては、複数のエラーが発生した時にはその決定されている優先順位に従って最も優先度の高いエラーしか表示されず、使用者はそのエラーしか把握できなかった。すなわち、使用者が優先的に知りたい他のエラーが発生していても、表示されているエラーを取り除かない限り、知りたいエラーに関する情報を得られないことは勿論、他のエラーについて発生の有無さえ知ることができなかった。
【０００５】この発明は上記の点に鑑みてなされたものであり、複数のエラーが同時に発生した時に、使用者が発生の有無を知りたいエラーについて優先的に知ることができるようにすることを第１の目的とする。また、複数のエラーが同時に発生した時に、そのエラー数を容易に把握できるようにすることを第２の目的とする。さらに、複数のエラーが同時に発生した時に、その全てのエラーを知ることができるようにすることを第３の目的とする。
　
（カ）「【００１０】
【実施例】以下、この発明の実施例を図面に基づいて具体的に説明する。図２はこの発明の一実施例を示すレーザプリンタのブロック構成図であり、プリンタコントローラ１とエンジン２，パネル装置３，ディスク装置４とからなる。ホスト装置５は、このプリンタの上位装置である。」
　
（キ）「【００２６】図１は、ＣＰＵ６によるエラー項目の優先順位登録処理を示すフローチャートである。このルーチンは、
パネル装置３からの入力情報（例えばエラー項目のＩＤ（識別情報）と優先順位）あるいはホスト装置５からのコマンド等によりエラー項目及びその優先順位が指定されると、メインルーチンによってコールされてスタートし、その指定されたエラー項目の優先順位を指定された順位にして登録すると共に、それ以外のエラー項目の優先順位を割り当て直して登録する。
　
（ク）「【００２８】一方、エラーの解除とともに表示要求フラグをリセットする処理を行なうが、それと共にエラー数カウンタをデクリメント（−１）し、そのカウント値をＬＣＤ表示器２１に表示させる。（図６参照）。図７に、２つのエラーが同時に発生した時のＬＣＤ表示器２１の表示例を示す。この図を見て判るように、
２つのエラーが同時に発生した時には、ＬＣＤ表示器２１に最も優先順位が高いエラーメッセージとエラー数が表示される。
　
　してみると、刊行物２には、以下の発明（以下、「刊行物２発明」という）が記載されている。
　
（ケ）「ホスト装置からのコマンドによりエラー項目とその優先順位が指定されると、その指定されたエラー項目の優先順位を指定された順位にして登録し、
　２つのエラーが同時に発生した時には、最も優先順位が高いエラーメッセージが表示されるレーザプリンタ。」
　
（４）対比・判断
　
　刊行物１発明の「印字を行うエンジン」、「音源装置」は本願補正後発明の「印刷部」、「音響器」に相当し、刊行物１発明のプリンタ制御装置はプリンタ本体と一体的に使用されることが明らかなものであることから、刊行物１発明と本願補正後発明とは「文字又は図形を印刷する印刷部と、音を発生する音響器とを備えた印刷装置」である点で一致すると言える。
　
　刊行物１発明は「ホスト装置」から「コマンド」を「供給される」ものであることから、「ホスト装置」から送信された「コマンド」を受信する「受信部」を当然備えるものであって、当該「コマンド」は本願補正後発明の「指令データ」に相当するものであると言えることから、刊行物１発明と本願補正後発明とは「ホスト装置に接続され、当該ホストからの指令データを受信する受信部」を備える点で一致する。
　
　刊行物１発明で判定を行う「状態ｉ」は、刊行物１の記載を参酌するに、オフライン中、上位装置からのデータ受信中、プリンタエンジンのヒーター部等へ加熱している状態、一定時間以上プリンタに印刷データが残留した状態を指すものであって、上記（３）（イ）に記載があるように「プリンタの動作異常だけでなく、通常のプリンタ状態やその変化を音で知らせることができない」という問題点を解決するためのものであることを勘案すると、刊行物１発明の「状態ｉ」は本願補正後発明の「所定の異常状態」に相当するものであると言える。
　よって、刊行物１発明の「判定条件を満たす状態ｉが発生した場合を判定する状態判定手段」は本願補正後発明の「前記印刷装置が所定の異常状態にあるか否かを検出する検出部」に相当する。
　
　刊行物１発明は「音通知の有効性」を設定する「音通知機能選択手段」と、「状態ｉに応じた音のパターン及び連続指定」を設定する「音信号設定手段」とを個々の手段として備えるものであるが、刊行物１発明を音通知の条件を設定する機能を備えた装置として全体としてみた場合には「音通知の有効性」及び「状態ｉに応じた音のパターン及び連続指定」の設定を記憶する記憶手段を備えるものであると言える。
　そして、刊行物１発明の「音通知の有効性」の設定は本願補正後発明の「音による通知を行う旨の設定」に相当し、「当該状態ｉに応じた音パターン及び連続指定」は本願補正後発明の「発生させるべき音の情報、音を発生させる時間もしくは回数」に相当すると言えることから、刊行物１発明と本願補正後発明とは「前記印刷装置が前記異常状態にある場合に音による通知を行うか否かの設定を記憶する記憶部」を備え、「前記記憶部は、前記移動状態の種類に対応付けて、発生させるべき音の情報、音を発生させる時間もしくは回数を記憶」するものである点で一致する。
　更に、刊行物１発明における「音通知の有効性」及び「状態ｉに応じた音パターン及び連続指定」は任意に設定可能であって、当該設定動作を行う際には装置内において何らかの指令データが生成され、当該指令データに従って動作が実施されることが明らかであることから、刊行物１発明と本願補正後発明とは、「前記記憶部に記憶された前記音による通知を行うか否かの設定、前記音の情報、前記音を発生させる時間もしくは回数の少なくとも一は、所定の指令データに基づいて変更可能である」点においても共通する。
　
　刊行物１発明は「コントローラ全体を制御するＣＰＵ」を備えると共に、「その状態を音として通知するか否かの判定を行う音通知機能有効性判定手段」を備え、「判定の結果、有効性判定が真の場合、状態ｉに応じた音を音信号変換手段に出力して音を発生させ」るものであるが、当該「ＣＰＵ」は「コントローラ全体を制御する」ものであり、刊行物１発明の「音源装置」も当然制御の対象とするものであって、刊行物１発明の「音源装置」が本願補正後発明の「音響器」に相当することは上述したとおりであることから、刊行物１発明と本願補正後発明とは「前記検出部により前記所定の異常状態にあることが検出され、かつ前記記憶部に音による通知を行う旨の設定が記憶されている場合に、前記音響器を駆動し音を発生させる制御部」を備える点で一致する。
　
　刊行物１発明は「状態ｉが切り替わると音通知停止が実施される」ものであって、当該「音通知停止が実施される」際には刊行物１発明の装置内において音通知を停止するための何らかの指令データが生成されており、当該命令データに基づいて刊行物１発明の「ＣＰＵ」が停止動作を行うものであることが当業者に自明であることから、刊行物１発明と本願補正後発明とは「前記制御部は更に、所定の指令データに基づいて前記音響器の駆動を停止」するものである点で共通する。
　
　なお、刊行物１発明の「音通知停止」を実施するための指令データと、「音通知の有効性」及び「状態ｉに応じた音パターン及び連続指定」を設定するための指令データとは互いに異なるものであることは明らかである。
　
　したがって、本願補正後発明と刊行物１発明とは、以下の点で一致し、相違する。
　
（一致点）
「文字又は図形を印刷する印刷部と、音を発生する音響器とを備えた印刷装置において、
　ホスト装置に接続され、当該ホスト装置からの指令データを受信する受信部と、
　前記印刷装置が所定の異常状態にあるか否かを検出する検出部と、
　前記印刷装置が前記異常状態にある場合に音による通知を行うか否かの設定を記憶する記憶部と、
　前記検出部により前記所定の異常状態にあることが検出され、かつ前記記憶部に音による通知を行う旨の設定が記憶されている場合に、前記音響器を駆動し音を発生させる制御部とを備え、
　前記記憶部は、前記異常状態の種類に対応付けて、発生させるべき音の情報、音を発生させる時間もしくは回数をさらに記憶し、
　前記制御部は更に、第１の指令データに基づいて前記音響器の駆動を停止し、
　前記記憶部に記憶された前記音による通知を行うか否かの設定、前記音の情報、前記音を発生させる時間もしくは回数の少なくとも一は、第２の指令データに基づいて変更可能である、
　ことを特徴とする印刷装置。
　
（相違点１）
　本願補正後発明は、異常状態に対して「優先順位」を設定して、「異常状態を通知する優先順位」を変更可能に記憶し、「複数の異常状態が検出された場合に、記憶部に記憶された前記優先順位に基づいて最も優先順位が高い異常状態を音により通知する」ものであるのに対し、刊行物１発明では当該「優先順位」に関する構成について何ら言及がない点。
　
（相違点２）
　音響器の駆動を停止する第１の指令データの出所について、本願補正後発明は、ホスト装置からの指令データを受信する「前記受信部で受信した」ものであるのに対し、刊行物１発明はそのような言及がない点。
　
（相違点３）
　記憶部に記憶された各種設定値の設定を行う第２の指令データの出所について、本願補正後発明は、ホスト装置からの指令データを受信する「前記受信部で受信した」ものであるの対し、刊行物１発明はそのような言及がない点。
　
（５）相違点に対する当審の判断
　
（相違点１について）
　印刷装置の異常状態を表示する印刷装置の技術分野において、異常状態に対して優先順位を設定し、異常状態を通知する優先順位を変更可能に記憶し、複数の異常状態が検出された場合に記憶部に記憶された優先順位に基づいて最も優先順位が高い異常状態を表示することは、刊行物２に記載されており、刊行物１発明における「複数の状態ｉ」に対して刊行物２発明を適用して、本願補正後発明の構成とすることは、当業者にとって想到困難な事項ではない。
　
（相違点２について）
　ホスト装置に接続された印刷装置の異常状態を音により表示する印刷装置の技術分野において、異常状態を表す音をホスト装置からの指令に基づいて停止することは、周知慣用された構成にすぎない。
　例えば、本願の出願日前である平成１１年７月３０日に頒布された刊行物である特開平１１−２０３０９８号公報（段落【００６６】）にも、そのような技術が記載されている。
　してみれば、刊行物１発明に上記周知慣用された技術を適用して本願補正後発明の構成とすることは、当業者にとって想到困難な事項ではない。
　
（相違点３について）
　ホスト装置に接続された印刷装置の技術分野において、印刷装置の記憶部に記憶された各種設定値をホスト装置からの指令に基づいて設定することは、周知慣用された技術にすぎない。
　刊行物２（前記（３）（ク）参照）にも、そのような技術が記載されている。
　してみれば、刊行物１発明に上記周知慣用された技術を適用して本願補正後発明の構成とすることは、当業者にとって想到困難な事項ではない。
　
　そして、これら相違点を総合的に考慮してみても当業者が推考し難い格別のものであることとすることはできず、また本願補正後発明の効果についてもみても、上記構成の採用に伴って当然に予測される程度のものにすぎず、格別顕著なものがあるともいえない。
　
　したがって、本願補正後発明は、刊行物１発明、刊行物２発明及び周知技術に基づいて、当業者が容易に発明をすることができたものであるから、特許法第２９条第２項の規定により特許出願の際独立して特許を受けることができないものである。
　
（６）まとめ
　
　以上のとおり、本件補正は、平成１８年改正前特許法第１７条の２第５項で準用する同法第１２６条第５項の規定に違反するものであり、特許法第１５９条第１項において読み替えて準用する特許法第５３条第１項の規定により却下されるべきものである。
　
３．本願発明について
　
　平成２２年２月８日付け手続補正は上記のとおり却下されたので、本願の請求項に係る発明は、平成２１年３月２５日付けで手続補正された特許請求の範囲の請求項１ないし１２に記載された事項により特定されるものと認められるところ、その請求項１に係る発明（以下、「本願発明」という）は以下のとおりのものである。
　
「文字又は図形を印刷する印刷部と、音を発生する音響器とを備えた印刷装置において、
　前記印刷装置が所定の異常状態にあるか否かを検出する検出部と、
　前記印刷装置が前記異常状態にある場合に音による通知を行うか否かの設定を記憶する記憶部と、
　前記検出部により前記所定の異常状態にあることが検出され、かつ前記記憶部に音による通知を行う旨の設定が記憶されている場合に、前記音響器を駆動し音を発生させる制御部とを備え、
　前記記憶部は、前記異常状態の種類に対応付けて当該異常状態を通知する優先順位をさらに記憶し、
　前記制御部は、前記検出部により複数の異常状態が検出された場合に、前記記憶部に記憶された前記優先順位に基づいて最も優先順位が高い異常状態を音により通知することを特徴とする印刷装置。」
　
（１）刊行物
　原審拒絶理由で引用された刊行物１、刊行物２、及び、その記載事項は、前記２．（２）で記載したとおりである。
　
（２）対比・判断
　本願発明は、前記２．（１）で検討した本願補正後発明の限定事項である構成を除いたものである。
　そうすると、本願発明の特定事項を全て含み、さらに他の特定事項を付加したものに相当する本願補正後発明が、前記２．で検討したとおり、刊行物１発明、刊行物２発明及び周知技術に基づいて、当業者が容易に発明をすることができたものであるから、本願発明も、同様の理由により、刊行物１発明、刊行物２発明及び周知技術に基づいて、当業者が容易に発明をすることができたものである。
　
（３）まとめ
　　したがって、本願発明は、刊行物１発明、刊行物２発明及び周知技術に基づいて当業者が容易に発明をすることができたものであるので、特許法第２９条第２項の規定により特許を受けることができない。
　
４．むすび
　
　以上のとおりであるから、本願は、他の請求項に係る発明について検討するまでもなく、拒絶すべきものである。
　よって、結論のとおり審決する。